(57)【特許請求の範囲】
【請求項１】
電動パーソナル器具とともに使用するためのスキンブラシヘッドであって、
内面、外面、および前記内面と前記外面との間の光が透過する窓部分を有する本体と、
前記本体の前記外面に結合された処理アプリケータであって、皮膚部分に処理を施すように構成された、処理アプリケータと、
前記スキンブラシヘッドと関連付けられた交換インジケータであって、前記交換インジケータが、染料を拡散することによって、継続時間が経過したことを示すように構成される、交換インジケータと、
前記内面から延びる作動部材と、
を含み、
前記交換インジケータは、前記スキンブラシヘッドが使用されたある継続時間の後に、使用者に前記スキンブラシヘッドの交換を勧めるために、前記窓部分を通して表示を提供するように構成され、
前記作動部材は、前記電動パーソナル器具に前記スキンブラシヘッドを最初に取り付けると、前記染料の拡散を開始するように構成されており、前記継続時間が、前記電動パーソナル器具に前記スキンブラシヘッドを最初に取り付けると始まる、スキンブラシヘッド。
【請求項２】
前記外面から見た場合に、前記窓部分が前記使用者に見えるように、前記窓部分が、前記処理アプリケータの空隙内に置かれる、請求項１に記載のスキンブラシヘッド。
【請求項３】
前記継続時間が経過すると、前記染料が、前記窓部分を通して見える境界まで拡散する、請求項１または２に記載のスキンブラシヘッド。
【請求項４】
前記境界に達する前記継続時間が、約３０日〜１８０日である、請求項１から３のいずれか一項に記載のスキンブラシヘッド。
【請求項５】
前記境界に達する前記継続時間が、６０日〜１２０日である、請求項１から４のいずれか一項に記載のスキンブラシヘッド。
【請求項６】
前記境界に達する前記継続時間が、８５日〜９５日である、請求項１から５のいずれか一項に記載のスキンブラシヘッド。
【請求項７】
前記交換インジケータが、前記本体の前記内面に配置される、請求項１から６のいずれか一項に記載のスキンブラシヘッド。
【請求項８】
前記処理アプリケータが、複数の剛毛を含む、請求項１から７のいずれか一項に記載のスキンブラシヘッド。
【請求項９】
前記本体が、高密度ポリエチレン（HDPE）、低密度ポリエチレン（LDPE）、直鎖状低密度ポリエチレン（LLDPE）、ゴム、ポリプロピレン（PP）、ナイロン、アクリロニトリルブタジエンスチレン（ABS）、ポリブチレンテレフタレート（PBT）、HYTREL（登録商標）、ポリウレタン、コポリエステル、および他の熱可塑性物質またはポリマーのうちの１つ以上の材料から製造される、請求項１から８のいずれか一項に記載のスキンブラシヘッド。
【請求項１０】
スキンブラシヘッドであって、
窓部分を有する本体と、
前記窓部分に隣接した中央の空隙を形成する前記本体の外面に結合された複数の剛毛であって、皮膚部分に処理を施すように構成された、複数の剛毛と、
前記スキンブラシヘッドと関連付けられた交換インジケータと、
内面から延びる作動部材と、
を含み、
前記交換インジケータは、前記スキンブラシヘッドが使用されたある継続時間の後に、使用者に前記スキンブラシヘッドの交換を勧めるために、前記窓部分を通して表示を提供するように構成され、
前記作動部材は、前記スキンブラシヘッドを最初に取り付けると、染料の拡散を開始するように構成されている、スキンブラシヘッド。
【請求項１１】
前記継続時間が経過すると、前記染料が、前記窓部分を通して見える境界まで拡散する、請求項１から１０のいずれか一項に記載のスキンブラシヘッド。
【請求項１２】
前記境界に達する前記継続時間が、約３０日〜１８０日である、請求項１から１１のいずれか一項に記載のスキンブラシヘッド。
【請求項１３】
前記境界に達する前記継続時間が、６０日〜１２０日である、請求項１から１２のいずれか一項に記載のスキンブラシヘッド。
【請求項１４】
前記境界に達する前記継続時間が、８５日〜９５日である、請求項１から１３のいずれか一項に記載のスキンブラシヘッド。
【請求項１５】
前記窓部分が、前記交換インジケータの少なくとも一部分を拡大するように構成されたレンズを含む、請求項１から１４のいずれか一項に記載のスキンブラシヘッド。
【請求項１６】
前記本体が、高密度ポリエチレン（HDPE）、低密度ポリエチレン（LDPE）、直鎖状低密度ポリエチレン（LLDPE）、ゴム、ポリプロピレン（PP）、ナイロン、アクリロニトリルブタジエンスチレン（ABS）、ポリブチレンテレフタレート（PBT）、HYTREL（登録商標）、ポリウレタン、コポリエステル、および他の熱可塑性物質またはポリマーのうちの１つ以上の材料から製造される、請求項１から１５のいずれか一項に記載のスキンブラシヘッド。
【発明の詳細な説明】
【技術分野】
【０００１】
本発明は、パーソナルケア器具とともに使用するのに好適な交換インジケータを有する、ブラシヘッドなどのワークピースに関する。
【背景技術】
【０００２】
パーソナルケア器具とともに使用する交換インジケータを有する、ブラシヘッドなどのワークピースが、従来技術から知られている。
【先行技術文献】
【特許文献】
【０００３】
【特許文献１】米国特許第９，１０７，４８６号明細書
【発明の概要】
【発明が解決しようとする課題】
【０００４】
本発明は、パーソナルケア器具とともに使用するのに好適な交換インジケータを有する、スキンケアブラシ用の自己作動使用オドメーターを提供することを目的とする。
【課題を解決するための手段】
【０００５】
一態様では、本開示は特に、パーソナルケア器具とともに使用するのに好適な交換インジケータを有する、ブラシヘッドなどのワークピースの代表的な実施形態を対象とする。交換インジケータは概して、ある継続時間が経過した後に、ブラシヘッドが交換されることを勧める表示を使用者に提供する。ブラシヘッドは、推奨される交換のための継続時間の進行状況および継続時間が経過したことの表示を見るための、外面から見ることができる窓を含む。いくつかの実施形態では、継続時間は、ブラシヘッドが最初にパーソナルケア器具に装着されるとき開始される。
【０００６】
本開示の態様によれば、電動パーソナル器具とともに使用するためのスキンブラシヘッドが提供される。スキンブラシヘッドは概して、内面、外面、および内面と外面との間で光が透過する窓部分を有する本体と、本体の外面に結合された処理アプリケータであって、皮膚部分に処理を施すように構成され得る、処理アプリケータと、スキンブラシヘッドと関連付けられた交換インジケータであって、スキンブラシヘッドが使用されるある継続時間の後に、使用者にスキンブラシヘッドの交換を勧めるために窓部分を通して表示を提供するように構成され、この継続時間は、電動パーソナルケア器具にスキンブラシヘッドを最初に取り付けると始まってもよい、交換インジケータと、を含む。
【０００７】
本開示の他の態様によれば、スキンブラシヘッドが提供される。スキンブラシヘッドは、概して、窓部分を有する本体と、窓部分に隣接した中央の空隙を形成する、本体の外面に結合された複数の剛毛であって、皮膚部分に処理を施すように構成され得る、複数の剛毛と、スキンブラシヘッドと関連付けられた交換インジケータであって、スキンブラシヘッドが使用されるある継続時間の後に、使用者にスキンブラシヘッドの交換を勧めるために窓部分を通して表示を提供するように構成された、交換インジケータと、を含む。
【０００８】
本明細書で開示する態様のいずれかによれば、窓部分は、外面から見られるとき、使用者によって窓部分が見えるように、処理アプリケータの空隙内に置かれてもよい。
【０００９】
本明細書で開示する態様のいずれかによれば、交換インジケータは、染料を拡散することによって、継続時間が経過したことを示すように構成されてもよい。
【００１０】
本明細書で開示する態様のいずれかによれば、スキンブラシヘッドは内面から延び、電動パーソナル器具にスキンブラシヘッドを最初に取り付けると、染料の拡散を開始するように構成された作動部材をさらに含んでもよい。
【００１１】
本明細書で開示する態様のいずれかによれば、染料は、継続時間が経過すると、窓部分を通して見える境界まで拡散してもよい。
【００１２】
本明細書で開示する態様のいずれかによれば、境界に達する継続時間は、約３０日〜１８０日であってもよい。
【００１３】
本明細書で開示する態様のいずれかによれば、境界に達する継続時間は、６０日〜１２０日であってもよい。
【００１４】
本明細書で開示する態様のいずれかによれば、境界に達する継続時間は、８５日〜９５日であってもよい。
【００１５】
本明細書で開示する態様のいずれかによれば、交換インジケータは、本体の内面に配置されてもよい。
【００１６】
本明細書で開示する態様のいずれかによれば、処理アプリケータは、複数の剛毛を含んでもよい。
【００１７】
本明細書で開示する態様のいずれかによれば、本体は、高密度ポリエチレン（HDPE）、低密度ポリエチレン（LDPE）、直鎖状低密度ポリエチレン（LLDPE）、ゴム、ポリプロピレン（PP）、ナイロン、アクリロニトリルブタジエンスチレン（ABS）、ポリブチレンテレフタレート（PBT）、HYTREL（登録商標）、ポリウレタン、コポリエステル、および他の熱可塑性物質またはポリマーのうちの１つ以上の材料から製造されてもよい。
【００１８】
本明細書で開示する態様のいずれかによれば、スキンブラシヘッドは、内面から延び、スキンブラシヘッドを最初に取り付けると、染料の拡散を開始するように構成された作動部材をさらに含んでもよい。
【００１９】
本明細書で開示する態様のいずれかによれば、窓部分は、交換インジケータの少なくとも一部分を拡大するように構成されたレンズを含んでもよい。
【００２０】
本概要は、以下の発明を実施するための形態でさらに説明する概念の抜粋を簡略化して紹介するために提供される。この概要は、特許請求される主題の主要な特徴を特定することを意図するものではなく、特許請求される主題の範囲の決定に役立つものとして使用されることを意図するものでもない。
【００２１】
開示する主題の前述の態様および付随する利点の多くは、添付の図面とともに行う、以下の詳細な説明への参照により、より良く理解されるようになると、より容易に諒解されるようになるであろう。
【図面の簡単な説明】
【００２２】
【図１】本開示の態様によるブラシヘッドの一例の、好適なパーソナルケア器具から分解されたブラシヘッドを示す、等角図である。
【図２】作動部材が最初の第１の位置にあるパーソナルケア器具の駆動ボスから分解されたブラシヘッドを示す、図１のブラシヘッドの側断面図である。
【図３】作動部材が継続時間測定を開始するための第２の位置にあるパーソナルケア器具の駆動ボスに装着されたブラシヘッドを示す、図１のブラシヘッドの側断面図である。
【図４】ブラシヘッドが本開示の態様による交換インジケータの一例を有する、図１のブラシヘッドの中央アセンブリの底面図である。
【図５ａ】開位置の保持ドアを示す、図４の中央アセンブリの底部側等角図である。
【図５ｂ】閉位置の保持ドアを示す、図４の中央アセンブリの底部側等角図である。
【図６】本開示の態様による交換インジケータ窓の一例を有する、パーソナルケア器具に結合されたブラシヘッドの上面図である。
【図７ａ】ブラシヘッドが交換を必要としているときを示す、ある時間長（time duration）にわたる交換インジケータ内の染料の進行状況を示す、図６のブラシヘッドの中央アセンブリの上面図である。
【図７ｂ】ブラシヘッドが交換を必要としているときを示す、ある時間長にわたる交換インジケータ内の染料の進行状況を示す、図６のブラシヘッドの中央アセンブリの上面図である。
【図７ｃ】ブラシヘッドが交換を必要としているときを示す、ある時間長にわたる交換インジケータ内の染料の進行状況を示す、図６のブラシヘッドの中央アセンブリの上面図である。
【図７ｄ】ブラシヘッドが交換を必要としているときを示す、ある時間長にわたる交換インジケータ内の染料の進行状況を示す、図６のブラシヘッドの中央アセンブリの上面図である。
【図８】パーソナルケア器具の一例をブロック図形式で示す図である。
【発明を実施するための形態】
【００２３】
以下の説明はスキンケアに関係する、より詳細には、対象者の任意の外側身体部位の皮膚処理のためのパーソナルケア器具とともに使用するのに好適な、交換可能なブラシヘッドに関係するデバイスの例を示す。交換可能なブラシヘッド、またはワークピースの例には、ブラシヘッドが交換されることを勧める表示を使用者に提供することができる、交換インジケータが含まれる。本明細書のいくつかの例では、ブラシヘッド交換は、日常使用の約三カ（３）月後に勧められるが、他のスケジュールされた交換プロトコルが使用されてもよい。
【００２４】
いくつかの例では、スケジュールされた交換継続時間が経過したという目に見える合図を使用者が受け取るように、交換インジケータは、ブラシヘッドに一体化され得る。この点について、交換インジケータは、交換インジケータの目に見える合図部分をブラシヘッドの本体内の窓の下に位置付けて、ブラシヘッドの本体の内面に結合され得る。交換インジケータは、染料拡散／吸い上げ（wicking）タイプを含むことができ、染料は、ブラシヘッドの推奨される交換の継続時間に対応するレートで広がる。従来の染料拡散インジケータは一般に、例えば破裂すると染料の拡散を開始し、それによって継続時間の測定を開始する染料充填ブリスター（dye-filled blister）などの、トリガ機構を含む。そのような染料拡散交換インジケータの一例には、様々な例の中でも特に、TIMESTRIP（登録商標）（Timestrip UK Ltd, Cambridge, United Kingdomの様々な製品の商標）が含まれる。いくつかの実施形態では、トリガ機構は、ブラシヘッドがパーソナルケア器具に取り付けられると、自動的に始動される。
【００２５】
前述の窓は、指定された継続時間が経過したことを示す、少なくとも１つの境界に向かった染料の進行状況を使用者が観察できるように、ブラシヘッドの面の間の光透過を可能にするように構成される。窓は概して、使用者がブラシヘッドの剛毛に目を向けるとき見えるように、ブラシヘッドの剛毛の空隙内にある。いくつかの実施形態では、窓は、ブラシヘッド本体の材料から形成されるが、他の実施形態では、窓は開いていて、交換インジケータへの穴（aperture）として構成される。
【００２６】
次に図１を参照すると、本開示の態様に従って形成された、全体的に２０として指定されるワークピースの一例が示されている。ワークピース２０は、器具２２などのパーソナルケア器具とともに使用するのに好適である。図示の実施形態では、ワークピース２０は、スキンブラシヘッド（以下では「ブラシヘッド２０」）の形態である。以下でより詳細に説明するように、ブラシヘッド２０は中央アセンブリ６０を含み、中央アセンブリ６０は、図６および図７ａ〜図７ｄに示すように、ブラシヘッド２０の交換を勧める視覚的合図を使用者に提供する窓９２を含む。使用中、中央部分６０は、対象者の皮膚に処理を施す、例えば洗浄、マッサージ、角層除去（exfoliate）などを行うために、対象者の皮膚の上でパーソナルケア器具２２によって、回転、往復運動、振動などを行われ得る。
【００２７】
次に図１〜図３を参照して、ブラシヘッド２０の一例についてより詳細に説明する。図２に示すように、ブラシヘッド２０は、外向きの外面４８を有する本体４４を備える中央アセンブリ６０を含む。図示の実施形態では、本体４４は概ね円筒形の断面を有するが、他の幾何学的断面（すなわち三角形、楕円形、分葉形、正方形など）が採用されてもよい。本体４４は、高密度ポリエチレン（HDPE）、低密度ポリエチレン（LDPE）、直鎖状低密度ポリエチレン（LLDPE）、ゴム、ポリプロピレン（PP）、ナイロン、アクリロニトリルブタジエンスチレン（ABS）、ポリブチレンテレフタレート（PBT）、HYTREL（登録商標）、ポリウレタン、コポリエステルなどのプラスチックで作られ得るが、アルミニウム、チタンなどの軽金属を含む、他の材料が利用されてもよい。以下でより詳細に説明するように、本体４４は、たとえば、パーソナルケア器具２２の駆動ボス５２などの構成要素と直接的または間接的にインターフェースするように構成され得る。
【００２８】
中央アセンブリ６０は、本体４４の外面４８に結合され、そこから外側に延びる処理アプリケータを含む。いくつかの実施形態では、処理アプリケータは、例えば図２に示すように、複数の剛毛６４の形態である。複数の剛毛６４は、離間していることがあり、または図１に示す実施形態では、複数の剛毛６４は、１つ以上の房７０を形成するために、互いにグループ化される（例えば２０〜１８０の剛毛グループ化）ことがある。いずれの場合も、剛毛６４は、本体４４の外面４８から上方に延び、剛毛先端部７２として終わる。本開示のいくつかの実施形態での剛毛６４は、約０．２０インチ（５．０８ミリメートル）から約１．２インチ（３０．４８ミリメートル）またはそれ以上の長さと、約０．００２インチ（０．０５０８ミリメートル）から約０．０２０インチ（０．５０８ミリメートル）またはそれ以上の範囲の直径を有する。いくつかの実施形態では、剛毛の１つのグループは、剛毛の別のグループよりも長い長さを有することができる。変化する長さの剛毛を備えたブラシヘッドの一例が、２０１３年４月１２日出願の、特許文献１に記載されている。剛毛６４は、限定はしないが、エラストマー、コエラストマー、ポリマー、コポリマー、およびそれらの混合または組合せを含む、様々な材料で作られ得る。図１、図５ａ、図５ｂ、図６、および図７ａ〜図７ｄの中央アセンブリ６０の図示の実施形態は、中央アセンブリに取り付けられた単一のより大きい剛毛を示しているが、図示の各剛毛６４が房７０を表し、図２および図３に全体的に示すように、任意の数の複数の剛毛６４に分割され得ることを意図している。
【００２９】
いくつかの実施形態では、剛毛６４の１つ以上は、ソニックアプリケーション（sonic application）に好適な高性能を有するテクスチャリング添加剤とともに、DUPONT（商標）TYNEX（登録商標）、Supersoft HYTREL（登録商標）熱可塑性エラストマーフィラメントまたはDUPONT（商標）NATRAFIL（登録商標）ポリエステルなど、ポリブチレンテレフタレート（PBT）ポリエステルまたはTPE/PBT混合で作られてもよい。他の実施形態では、剛毛は、エラストマーで作られるか、またはこれを含むことがある。１つのそのような例には、エラストマー（たとえば、TPE）の内側コアおよびポリマー（たとえば、PBT）外側ジャケットが含まれる。本明細書では、DUPONT（商標）材料について、その商標名とともに言及するが、ポリプロピレン、DUPONT（商標）BYNEL（登録商標）などのポリエチレン、ならびにそれらの組合せまたは混合など、後発均等物および変形物もまた、使用に適している場合がある。
【００３０】
いくつかの実施形態では、剛毛６４は、限定はしないが、テクスチャ表面などを含む、中実円形、中空、矩形、菱形、中空、矩形、Ｘ字形、四葉形（quadralobal）を含む断面を有してもよい。音響共振特性を高める、または抗菌効果のための銀ゼオライトなど、追加の利点を与えることができる添加剤が追加されてもよい。以下でより詳細に説明するように、フィラメントの表面エネルギーを変更し、表面エネルギーを制御するために、添加剤が使用される場合もある。
【００３１】
やはり図２を参照すると、いくつかの実施形態のブラシヘッド２０は、オプションの外側保持器７６もまた含む場合がある。外側保持器７６は、中央アセンブリ６０を囲むようにサイズを調整され、構成された、中央の円筒形状の開口を形成する。いくつかの実施形態では、複数の剛毛６４が、外側保持器７６の外面から延びる。また他の実施形態では、保持器７６には剛毛（たとえば、フィラメント）がなく、より装飾的な設計を有してもよい。本体４４および外側保持器７６は互いに、いくつかの実施形態では、パーソナルケア器具２２へのブラシヘッド２０の選択的取付けを可能にするように構成されたアタッチメントシステムを含む。
【００３２】
上記で簡潔に説明したように、ブラシヘッド２０は、全体的に図４および図５ａ〜図５ｂの中央アセンブリ６０の内面に結合されて示される、交換インジケータ９０をさらに含む。図に示す実施形態では、交換インジケータ９０は、ブラシヘッド２０が最初にパーソナルケア器具２２に取り付けられてからの時間長の視覚的表示を使用者に提供するために、交換インジケータ９０に沿って拡散するおよび／または吸い上がる染料１００を含む（たとえば、窓９２内の染料１００の拡散を示す、図７ａから図７ｄの遷移を参照）。実施形態では、染料１００は、ブラシヘッド２０の美的要求に応じて、任意の色、黒色、または白色とすることができる。
【００３３】
次に図５ａおよび図５ｂを参照すると、交換インジケータ９０は、関節接合ドア（articulating door）８２によって、中央アセンブリ６０の内面に保持されて示され、関節接合ドア８２は、ヒンジ８８と、図５ｂに示す閉位置で、関節接合ドア８２を固定するように構成された保持タブ８６と、を有する。交換インジケータ９０を挿入するには、関節接合ドア８２は保持タブ８６で解除され、中央アセンブリ６０から引き離され、ヒンジ８８に関節接合する。図５ａは、交換インジケータ９０が装着された開位置の関節接合ドア８２を示す。交換インジケータ９０が中央アセンブリ６０の内面と適切な位置になると、関節接合ドア８２は、保持タブ８６を使用して内面に固定される。図示の実施形態では、２つの保持タブ８６が示されているが、他の実施形態では、任意の数の保持タブ８６が、関節接合ドア８２を固定するために置かれる。いくつかの実施形態では、関節接合ドア８２は、中央アセンブリ６０から取外し可能である。他の実施形態では、交換インジケータ９０は、任意の好適な固定構成（securement configuration）を使用して、例えば接着剤、ファスナー、磁石、機械的ロッキング、デュアルロックなどを用いて、中央アセンブリ６０に固定される。
【００３４】
図２および図３に戻ると、いくつかの実施形態では、パーソナルケア器具２２の駆動ボス５２にブラシヘッド２０を取り付けると、交換インジケータ９０で染料１００の拡散が始まる。関節接合ドア８２は、パーソナルケア器具２２にブラシヘッド２０を取り付けると、駆動ボス５２が作動部材５０に接するように置かれた作動部材５０を含む。この点について、作動部材５０は、作動部材５０が交換インジケータ９０の継続時間開始機構８４のインターフェースとなるように、駆動ボス５２の接触によって回転される。図示の実施形態では、継続時間開始機構８４は、パーソナルケア器具２２にブラシヘッド２０が取り付けられると、交換インジケータ９０内の染料１００を破裂させ、解放するように構成された、染料充填ブリスター（以下では「ブリスター８４」）である。作動部材５０がブリスター８４に力を及ぼすように回転されると、ブリスター８４内の染料１００の圧力が増大して、膜（図示せず）を破裂させ、染料１００を交換インジケータ９０に解放し、ブラシヘッド２０の交換のための継続時間の測定を開始する。交換インジケータ９０がブリスター８４を有する実施形態では、交換のための継続時間の測定は、中断または一時停止することができない。他の実施形態では、交換インジケータ９０は、パーソナルケア器具２２からブラシヘッド２０を外すと、継続時間の測定を中断する。
【００３５】
次に図６および図７ａ〜図７ｄを参照して、窓９２について次により詳細に説明する。窓９２は、本体４４内の中央アセンブリ６０にある。窓９２は、使用者が中央アセンブリ６０の内面にある交換インジケータ９０内の染料１００を見ることができるように、中央アセンブリ６０の内面と外面の間を光が透過することを可能にするように構成される。これらの実施形態では、窓９２はさらに、皮膚からの改善組成物および／または汚染物質が使用中に交換インジケータ９０に接触しないように、交換インジケータ９０を保護する。他の実施形態では、窓９２は、交換インジケータ９０が開口から使用者によって直接見られるように開いている（すなわち、穴である）。さらなる実施形態では、窓９２は、交換インジケータ９０が拡大されて、たとえば、染料１００の進行状況が、視力の低下した使用者に見えるように、または縮小されるように、凹レンズまたは凸レンズ構成を有する。これらの点について、レンズ形状は、交換インジケータ９０の染料１００を増強または濃くし得る。
【００３６】
図のように、窓９２は、染料１００が使用者に見えるように置かれる。この点について、使用者が窓９２を見ることができるように、剛毛６４内の空隙６６は、中央アセンブリ６０の上面４８に置かれる。いくつかの実施形態では、空隙６６は実質的に円形であってもよいが、他の実施形態では、空隙６６は、使用者による窓９２の閲覧を可能にする任意の好適な形状である。他の実施形態では、空隙６６は、剛毛６４を窓９２から離して傾けることによって作成されてもよい。これらの実施形態では、剛毛６４は、５度以上傾けられてもよい。
【００３７】
図７ａから図７ｄは、ブラシヘッド２０がパーソナルケア器具２２に装着された継続時間の測定の進行状況を示すための、交換インジケータ９０内の染料１００の遷移を示す。いくつかの実施形態では、交換インジケータは、交換のための部分的継続時間、例えば１カ月および２カ月をそれぞれ示すために、第１の境界９４および第２の境界９６を有してもよい。第１の境界９４および第２の境界９６は、窓９２の表面に、または交換インジケータ９０上に好適に配置されてもよい。上記で詳述した、TIMESTRIP（登録商標）によって提供されるインジケータは、概して、交換インジケータ９０上に境界を含む。最初の装着より前に染料１００は、ブリスター８４内にあり、その後ブリスター８４は、パーソナルケア器具２２にブラシヘッド２０を最初に取り付ける間に、作動部材５０によって破裂される。
【００３８】
図７ａは、初期状態での窓９２を通した交換インジケータ９０構成を示し、染料１００は窓９２内にまだ見えない。図７ｂは、第１の中間状態での窓９２を通した交換インジケータ９０構成を示し、染料１００は第１の境界９４まで窓９２内に見える。図７ｃは、第２の中間状態での窓９２を通した交換インジケータ９０構成を示し、染料１００は第２の境界９４まで窓９２内に見える。図７ｄは、最終状態での窓９２を通した交換インジケータ９０構成を示し、染料１００は、経過した継続時間の終わり９８まで窓９２内に見える。いくつかの実施形態では、交換インジケータ９０が関節接合ドア８２の下の位置に配置されるとき、窓９２を通した時間長の視覚的表示のために交換インジケータ９０を正しい位置に合わせるために、中央アセンブリ６０の内面上に計時機能（図示略）があってもよい。
【００３９】
図示の実施形態では、窓９２は長円形として示されているが、窓は、ブラシヘッド２０がパーソナルケア器具２２に取り付けられた継続時間を示すための任意の好適な形状とすることができる。他の実施形態では、窓９２は適宜に、涙の形状、多角形状、曲線からなるなどである。いくつかの実施形態では、継続時間測定の様々な段階を示すために、複数の窓９２が含まれてもよい。この点について、単一の窓が、中間継続時間および最終経過継続時間を各々示すために含まれてもよい。同様に、窓９２は、ブラシヘッド交換の必要を示すシンボルもしくは文言の形式であってもよく、またはこれらを含んでもよい。図示の実施形態では、経過した継続時間の終わり９８は、たとえば、ブラシヘッドを交換するためのユニバーサルシンボルを示すように構成され得る。別の実施形態では、窓９２は、使用者への指示メッセージとして、たとえば「交換してください」などの文言を明記してもよい。
【００４０】
一般に、ブラシヘッド２０の実施形態は、日常使用の約三カ（３）月の後に、交換されることを推奨される。しかしながら、他の実施形態では、交換の任意の好適な継続時間が、本開示の範囲内である。たとえば、いくつかの実施形態では、交換インジケータ９０内の染料１００は、約３０日〜１８０日の継続時間で交換ポイント９８に達するように構成される。別の実施形態では、交換インジケータ９０内の染料１００は、約６０日〜１２０日の継続時間で交換ポイント９８に達するように構成される。さらなる実施形態では、交換インジケータ９０内の染料１００は、約８５日〜９５日の継続時間で交換ポイント９８に達するように構成される。
【００４１】
上記のように、ブラシヘッド２０の例は、パーソナルケア器具とともに使用するのに好適である。その点において、ブラシヘッド２０に振動を与えるために採用される場合があるパーソナルケア器具２２の一例について、少し詳細に説明する。パーソナルケア器具２２は、本開示の実施形態で実践され得る器具の１つのタイプであるが、ブラシヘッド２０は、広範囲の振動、回転、および往復運動発生デバイスとともに使用するのに使用に好適であることは諒解されよう。
【００４２】
次に図１、図２、および図８を参照すると、パーソナルケア器具２２の一例が示されている。器具２２は、ハンドル部２６とヘッド取付け部２８とを有する本体２４を含む。ヘッド取付け部２８は、ブラシヘッド２０などのワークピースまたはヘッドを器具２２に選択的に取り付けるように構成されている。器具本体２４は器具の動作構造体を収容している。図８のブロック図の形に示されている通り、一実施形態における動作構造体は、駆動モーターアセンブリ３０と、充電池などの電力貯蔵源３２と、電力貯蔵源３２から駆動モーターアセンブリ３０へ電力を選択的に供給するように構成されており、配置されているオン／オフボタン３６（図１参照）を含む駆動制御部３４と、を含む。いくつかの実施形態ではまた、駆動制御部３４は、駆動モーターアセンブリ３０への電力の供給を制御するように構成されている、プログラムされたマイクロコントローラまたはプロセッサなどの制御回路に連結されている電力調節ボタンまたはモード制御ボタン３８（図１参照）を含んでいてもよい。いくつかの実施形態における駆動モーターアセンブリ３０は、駆動シャフトまたは電機子４２および駆動ボス５２を介して、ブラシヘッド２０を駆動する電気駆動モーター４０を含む。
【００４３】
ブラシヘッド２０がヘッド取付け部２８に取り付けられるとき、駆動モーターアセンブリ３０は、ブラシヘッド２０に動きを与えるように構成される。駆動モーターアセンブリ３０は、一般に４０〜３５０Ｈｚの範囲内の可聴周波数で、３〜４５度の範囲または振幅内で、ブラシヘッド２０を前後に振動させて、ブラシヘッド２０を動作させるように構成されてもよい。いくつかの実施形態では、ブラシヘッド２０は、約８０Ｈｚ〜約２２０Ｈｚの周波数で、約６度〜約２０度の範囲または振幅で、負荷状態または無負荷状態で動作できる。駆動モーターアセンブリ３０によって洗浄ワークピース２０に与えられる動作周波数および振動振幅は、それの目的とする用途および／またはブラシヘッドの慣性特性など、ブラシヘッドの特徴に部分的に応じて変更され得ることは了解されよう。
【００４４】
同様の数字が同様の要素を参照する添付の図面に関して上記に記載した詳細な説明は、本開示の様々な実施形態の説明となることを意図しており、唯一の実施形態を表すことを意図していない。本開示で説明する各実施形態は、単に例または例示として提供しており、他の実施形態より好ましいまたは有利であると解釈されるべきではない。本明細書で提供する例示的な例は、網羅的であること、または開示する厳密な形態に本開示を限定することを目的とするものではない。同様に、本明細書で説明するいかなるステップも、同じまたは実質的に同様の結果を達成するために、他のステップ、またはステップの組合せと取り替え可能であってもよい。
【００４５】
上記の説明では、本開示の例示的な実施形態の完全な理解を実現するために、具体的な詳細が記載されている。しかしながら、本明細書で開示する実施形態は、具体的な詳細のすべてを具体化することなしに実践され得ることは、当業者には明らかであろう。いくつかの例では、周知のプロセスステップは、本開示の様々な態様を不必要に曖昧にしないために、詳細に説明されていない。さらに、本開示の実施形態は、本明細書で説明する特徴の任意の組合せを使用してもよいことは諒解されよう。
【００４６】
本出願は、「前方」、「後方」、「前」、「後」、「上」、「下」、「右手」、「左手」、「側方」、「中間」、「中」、「外」、「拡張」、「前進」、「後退」、「近位」、「遠位」、「中央」など、方向への言及を含む場合がある。本出願におけるこれらの言及および他の同様の言及は、特定の実施形態の説明および理解を助けるのに役立つに過ぎず、これらの方向または位置に本開示を限定することを意図していない。
【００４７】
本出願はまた、量および数に言及する。特に明記されていない限り、そのような量および数は、限定的と見なされてはならず、本出願と関連する可能な量または数の例示と見なされなければならない。またこの点について、本出願は、量または数に言及するために「複数の」という用語を使用する場合がある。この点について、「複数の」という用語は、１よりも大きい、たとえば、２、３、４、５などである任意の数であることを意図されている。「約」、「およそ」などの用語は、提示する値のプラスまたはマイナス５％を意味する。
【００４８】
本開示の原理、代表的な実施形態、および動作モードについて、上記の説明で述べた。しかしながら、保護されるよう意図される本開示の態様は、開示する特定の実施形態に限定されるものと解釈すべきではない。さらに、本明細書で説明する実施形態は、限定的ではなく例示的と見なされるべきである。本開示の趣旨から逸脱することなく、変形形態および変化形態が他者によって作成され、同等形態が採用され得ることは諒解されよう。したがって、そのような変形形態、変化形態、および同等形態はすべて特許請求の範囲に記載された本開示の趣旨および範囲内に入ることが明確に意図される。
【符号の説明】
【００４９】
２０  ブラシヘッド
２２  パーソナルケア器具
２４  本体
２６  ハンドル部
２８  ヘッド取付け部
３０  駆動モーターアセンブリ
３２  電力貯蔵源
３４  駆動制御部
３６  オン／オフボタン
３８  電力調節ボタンまたはモード制御ボタン
４０  電気駆動モーター
４２  駆動シャフトまたは電機子
４４  本体
４８  外面、上面
５０  作動部材
５２  駆動ボス
６０  中央アセンブリ
６４  剛毛
６６  空隙
７０  房
７２  剛毛先端部
７６  外側保持器
８２  関節接合ドア
８４  ブリスター
８６  保持タブ
８８  ヒンジ
９０  交換インジケータ
９２  窓
９４  第１の境界
９６  第２の境界
９８  交換ポイント
１００  染料
【図１】
0006957730.tif 000002
【図２】
0006957730.tif 000003
【図３】
0006957730.tif 000004
【図４】
0006957730.tif 000005
【図５ａ】
0006957730.tif 000006
【図５ｂ】
0006957730.tif 000007
【図６】
0006957730.tif 000008
【図７ａ】
0006957730.tif 000009
【図７ｂ】
0006957730.tif 000010
【図７ｃ】
0006957730.tif 000011
【図７ｄ】
0006957730.tif 000012
【図８】
0006957730.tif 000013